(57)【要約】      （修正有）【課題】端部取付具は、作業ポジションに接続インタフェースを誘導する。【解決手段】ワイパーを動かすように構成されたワイパーアーム７の端部取付具５と、接続インタフェース、特に、ワイパーへの液体の供給および／または液体またはワイパーの加熱を行うための液圧および／または電気コネクタとを含む、自動車のフロントガラス拭きシステムの構築するためのアセンブリ１であって、前記端部取付具５は、前記アーム７とワイパーとの間の回転を許容するアダプタ１３を受けるように構成され、前記アセンブリ１は、前記接続インタフェースが前記端部取付具５に対して自由である作業ポジションと、前記接続インタフェースが前記端部取付具５に対して配向可能なサービスポジションとを占めるように構成され、前記端部取付具５は、作業ポジションおよびサービスポジションに前記接続インタフェースを誘導するように構成されているアセンブリ。【選択図】図３
2014223908.tif 000002
【特許請求の範囲】
【請求項１】
ワイパー（９）を動かすように構成されたワイパーアーム（７）の端部取付具（５）と、接続インタフェース（１１）とを含む、自動車のフロントガラス拭きシステム（３）の構築するためのアセンブリ（１）であって、
前記端部取付具（５）は、前記アーム（７）と前記ワイパー（９）との間の回転を許容するアダプタ（１３）を受けるように構成され、
前記アセンブリ（１）は、前記接続インタフェース（１１）が前記端部取付具（５）に対して自由である作業ポジションと、前記接続インタフェース（１１）が前記端部取付具（５）に対して配向可能なサービスポジションとを占めるように構成され、
前記端部取付具（５）は、前記作業ポジションおよび前記サービスポジションに前記接続インタフェース（１１）を誘導するように構成されている、アセンブリ（１）。
【請求項２】
前記接続インタフェース（１１）は、前記サービスポジションにおいて、および／または前記作業ポジションにおいて、前記端部取付具（５）を通して目視可能になっている、請求項１に記載のアセンブリ。
【請求項３】
前記接続インタフェース（１１）は、前記サービスポジションにおいて、前記端部取付具（５）に隣接される、請求項１または２に記載のアセンブリ（１）。
【請求項４】
前記接続インタフェース（１１）は、前記サービスポジションにおいて前記端部取付具（５）によって配向された状態に維持される、請求項１から３のいずれか一項に記載のアセンブリ（１）。
【請求項５】
前記接続インタフェース（１１）は、少なくとも１つの突出部（４７）を含む、請求項１から４のいずれか一項に記載のアセンブリ（１）。
【請求項６】
前記端部取付具（５）は、前記サービスポジションおよび前記作業ポジションにおいて、前記突出部（４７）と協働するための少なくとも１つの窓および／または変形（４５）をもつように構成された本体（４１）を含む、請求項５に記載のアセンブリ（１）。
【請求項７】
前記本体（４１）は、前記サービスポジションおよび／または前記作業ポジションにおいて、前記窓（４５）に前記突出部（４７）を示すように構成されている、請求項６に記載のアセンブリ（１）。
【請求項８】
前記本体（４１）は、前記突出部（４７）が、前記窓および／または前記変形（４５）に収容され、前記作業ポジションから前記サービスポジションへ前記接続インタフェース（１１）の動きを誘導するように構成されている、請求項６または７に記載のアセンブリ（１）。
【請求項９】
前記突出部（４７）が前記変形（４５）の外側で受けられ、前記作業ポジションから前記サービスポジションへ前記接続インタフェース（１１）の動きを誘導するように、前記本体（４１）は構成されている、請求項６に記載のアセンブリ（１）。
【請求項１０】
前記突出部（４７）は、ピンおよび／またはリブの形態をとる、請求項５から９のいずれか一項に記載のアセンブリ（１）。
【請求項１１】
前記窓および／または前記変形（４５）は、前記突出部（４７）を受け、前記サービスポジションに前記突出部を保持するように構成された開口（５５）を含む、請求項６から１０のいずれか一項に記載のアセンブリ（１）。
【請求項１２】
２つの対向する窓および／または変形（４５）を含み、各々は、前記端部取付具の前記本体（４１）の側方部分に形成され、前記端部取付具の長手方向のメディアン面Ｐに対して互いに対称的である、請求項６から１１のいずれか一項に記載のアセンブリ（１）。
【請求項１３】
前記端部取付具（５）は、特に、前記端部取付具（５）に対する前記接続インタフェース（１１）の最大角度で、前記接続インタフェース（１１）の最端位置において前記サービスポジションを許容するように構成されており、前記拭きシステムの安全部品（５６）によって保持され、前記作業ポジションにおいて前記端部取付具（５）から前記ワイパー（９）が外れないように構成されている、請求項１から１２のいずれか一項に記載のアセンブリ（１）。
【請求項１４】
前記端部取付具（５）は、前記端部取付具の長手軸の方向ｄに平行または近い前記接続インタフェース（１１）の位置に、前記サービスポジションを許容するように構成されている、請求項１から１２のいずれか一項に記載のアセンブリ（１）。
【請求項１５】
前記サービスポジションにおいて、前記接続インタフェースの差込み部または端子（５１、４０）の少なくとも１つが、例えば、漏斗形状の前記拭きシステムの接続ガイド部品（５４）によって受けられるように前記接続インタフェース（１１）は構成されている、請求項１から１４のいずれか一項に記載のアセンブリ（１）。
【請求項１６】
車両のフロントガラス拭きシステム（３）の接続デバイス（１２）であって、ワイパーをワイパーアーム（７）に取り付けるためにワイパー（９）に固定されるように構成された機械コネクタ（１５）と、
前記ワイパー（９）と前記アーム（７）との間の回転を許容するように前記機械コネクタ（１５）に連接されるように構成されたアダプタ（１３）と、
を含み、
前記アダプタ（１３）は、請求項１から１５のいずれか一項に記載の前記アセンブリ（１）の前記端部取付具（５）に挿入されるようにさらに構成されている、接続デバイス（１２）。
【請求項１７】
前記機械コネクタ（１５）は、前記接続インタフェース（１１）への前記ワイパー（９）の液圧および／または電気接続を可能にするように構成されている、請求項１６に記載の接続デバイス（１２）。
【請求項１８】
前記機械コネクタ（１５）は、前記作業ポジションにおいて、前記接続インタフェース（１１）を支持するように構成されている、請求項１６または１７に記載の接続デバイス（１２）。
【請求項１９】
前記機械コネクタ（１５）は、前記端部取付具（５）に対して前記接続インタフェース（１１）を要求された方向に誘導するための前記接続ガイド部品（５４）を含む、請求項１６の従属項である、請求項１６から１８のいずれか一項に記載の接続デバイス（１２）。
【請求項２０】
ワイパー（９）と、
ワイパーアーム（７）と、
前記ワイパー（９）を前記ワイパーアーム（７）に取り付けるための請求項１６から１９のいずれか一項に記載の接続デバイス（１２）と、
を含む、車両フロントガラス拭きシステム（３）。
【発明の詳細な説明】
【技術分野】
【０００１】
本発明の分野は、車両機器の分野に関し、特に、自動車のウインドウを払き取るための機器の分野に関する。
【背景技術】
【０００２】
自動車には、通常、フロントガラスを洗浄して運転者の周囲環境視野の妨げを防止するためのフロントガラス拭きシステムが装備されている。作業ポジションにおいて、これらのフロントガラスワイパーは、従来、前後の角運動を行うワイパーアームによって駆動され、弾性材料で作られたワイパーブレードを保持する細長いワイパーを含む。これらのブレードは、フロントガラスに擦りつけられ、運転者の視野から水を排除する。ワイパーは、複数の別個の場所でワイパーブレードを保持する従来の形態の連接式の支持バーか、またはワイパーブレードを全長にわたって保持する半剛性アセンブリであるより最新式の、いわゆる、「フラットブレード」形態のいずれかで製造される。いずれの解決策でも、ワイパーは、機械コネクタおよびアダプタからなるアセンブリによってワイパーアームに取り付けられる。機械コネクタは、支持バーに圧着されるか、またはフラットワイパーに直接圧着される部品であり、アダプタは、コネクタをワイパーアームに固定するための中間部品である。これらの２つの部品は、フロントガラスに対して垂直方向にワイパーアームを貫通する平面において、これらの２つの部品が相対的に回転できるようにする横断シャフトによって互いに接続される。
【０００３】
また、ボンネットの下方に設置されたタンクからフロントガラス洗浄液を供給し、洗浄液をより良好に分配するために、フロントガラス付近またはフロントガラスワイパー自体に設置されたノズルを介してフロントガラスの方向に洗浄液を吹き付けるための装置が車両に設けられることが知られている。ノズルがワイパーに設置される場合、フロントガラス洗浄液はパイプを介して供給され、パイプは、ワイパーアームに固定され、機械コネクタのレベルで接続インタフェースを介してワイパーに接続される。接続インタフェースは、適切な終端部によって機械コネクタに固定され、機械コネクタに必要なシールをなす。
【０００４】
一般に、洗浄液パイプおよび接続インタフェースはワイパーアームに接続されるが、機械コネクタはワイパーに接続されているため、ワイパーの交換時には接続インタフェースを機械コネクタに接続する必要がある。この操作は、いわゆる、サービスポジションにて行われる。
【発明の概要】
【発明が解決しようとする課題】
【０００５】
接続インタフェースは、機械コネクタに据え付ける際、正確に位置合わせさせる必要があり、不正確に組み付けられると、２つのコネクタの接合レベルでのフロントガラス洗浄液の漏れの危険をもたらしうる。
【０００６】
さらに、重要なのは、ワイパーアームに対するワイパーの連結または装着を解除する間、接続インタフェースは、ワイパーアームに取り付けられたままであることである。これにより、ワイパーをワイパーアームから分離する動きの間、接続インタフェースは、機械コネクタによって同行されない。
【０００７】
しかしながら、ワイパーをアームに装着した後、接続インタフェースは、特に、拭きシステムが再度作業ポジションにあるとき、機械コネクタに対するアダプタの回転運動の必要な自由度を制限することができない。
【０００８】
このため、ワイパーアームに取り付けられた部品にある開口に接続インタフェースをクリッピングすることによって接続インタフェースがサービスポジションに保持されている既知のフロントガラスワイパーが知られている。しかしながら、これには製造やアームへの組み立てが比較的複雑な中間部品が必要になる。
【０００９】
本発明の目的は、これらの欠点のいくつかまたはすべてを解消することである。
【課題を解決するための手段】
【００１０】
この目的を達成するために、本発明は、ワイパーを動かすように構成されたワイパーアームの端部取付具と、接続インタフェース、特に、前記ワイパーへの液体の供給および／または前記液体および／またはワイパーの加熱を行うための液圧および／または電気コネクタとを含む自動車フロントガラス拭きシステムを構築するためのアセンブリであって、前記端部取付具は、前記アームとワイパーとの間の回転を許容するアダプタを受けるように構成され、前記アセンブリは、前記接続インタフェースが前記端部取付具に対して自由である作業ポジションと、前記接続インタフェースが前記端部取付具に対して配向可能なサービスポジションとを占めるように構成されているアセンブリに関する。
【００１１】
本発明によれば、端部取付具は、作業ポジションおよびサービスポジションに前記接続インタフェースを誘導するように構成されている。
【００１２】
したがって、前記端部取付具自体により、接続インタフェースは、アームでの誘導によって割出しされた位置に配向されうる。このように、接続インタフェースは、任意の中間部品を有していない要求された構成において、ロックされるか、または少なくともサービスポジションに移動されうる。また、本発明は、接続インタフェースが、ワイパーとの協働によって中間部品なしに、アームから／アームへの前記ワイパーの接続解除および／または接続時に要求された配向を想定しうる状況にも及ぶ。
【００１３】
前記接続インタフェースは、アームでのワイパーの動きによって、例えば、アームに対してワイパーを回転することによって前記サービスポジションにもたらされ、前記インタフェースは、前記アームにおいて作業ポジションで自由に回転する。
【００１４】
本発明は、以下の特徴を、別々に、または組み合わせて用いてもよい。
−前記接続インタフェースは、少なくとも１つの突出部を含む。
−前記接続インタフェースは、サービスポジションにおいて、および／または作業ポジションにおいて、特に、前記突出部によって端部取付具を通して目視可能である。
−前記接続インタフェースは、前記サービスポジションにおいて、特に、前記突出部によって端部取付具に隣接されてもよい。
−前記接続インタフェースは、前記端部取付具によって、特に、前記突出部によって配向された状態に維持されてもよい。
−前記端部取付具は、サービスポジションおよび作業ポジションにおいて、前記突出部と協働するための少なくとも１つの窓および／または変形をもつように構成された本体を含む。
−前記本体の前記変形は、本体の内部または外部の方に面している。
−前記突出部が、前記サービスポジションおよび／または前記作業ポジションにおいて前記窓に現れるように、前記本体は構成されている。
−前記突出部が、前記窓および／または変形に収容され、作業ポジションからサービスポジションへ接続インタフェースの動きを誘導するように、前記本体は構成されている。
−前記突出部が、前記変形の外側に受けられ、作業ポジションから前記サービスポジションへ接続インタフェースの動きを誘導するように、前記本体は構成されている。
−前記突出部は、ピンおよび／またはリブの形態をとる。
−前記突出部にはスロットがつけられる。
−前記突出部は、特に、２つの突出部要素の一方の軸での接続インタフェースの旋回を防止するために２つの突出部要素を含む。
−前記窓または変形は、ワイパーをアームに対して回転できるように、豆の形状の部分、特に、円弧形状の部分を含む。
−前記突出部は、アームに対するワイパーの角度を、前記作業ポジションにおいて、ゼロ度から約±１５°、好適には、±１２°、特に、ゼロ度から±１０°に等しい、アームに対するワイパーの角度まで回転できるように、前記窓および／または変形内または上に滑動可能に装着される。
−前記窓および／または変形および前記突出部は、サービスおよび／または作業ポジションにおいて互いに対して誘導可能な相補的形状を有する。
−前記窓および／または変形は、端部取付具の本体の側方部分にある。
−前記窓および／または変形は、端部取付具の本体の壁を切断および／または押圧することによって得られる。
−前記窓および／または変形は、前記突出部を、特に、クリッピング動作で受け、サービスポジションに保持するように構成された開口を含む。
−前記窓および／または変形は、前記突出部を受け、ワイパーを抜き取る際、突出部をサービスポジションに保持し、逆に、ワイパーをアームに接続する際、ワイパーの接続およびリセスからの係合を解除するように構成されたリセスを含む。
−前記リセスは、前記豆形状の一端に形成され、特に、豆形状が、下側端部で、特に、半径方向に延伸する方向に対して横断する方向に形成される。
−前記アセンブリは、２つの対向する窓および／または変形を含み、各々は、端部取付具の本体の側方部分に形成され、端部取付具の長手方向のメディアン面に対して互いに対称的である。
−端部取付具が延伸する長手軸に沿って並進運動により前記アダプタを受けるように、前記本体は構成されている。
−例えば、引き込み式のロックボタンによって、前記アダプタを端部取付具に可逆的に固定できるように、前記本体は構成されている。
−前記端部取付具は、特に、端部取付具に対して接続インタフェースの最大角度で、接続インタフェースの最端位置に前記サービスポジションを許容するように構成されており、拭きシステムの安全部品によって保持され、作業ポジションにおいて端部取付具からワイパーが外れないように構成されている。
−前記端部取付具は、端部取付具の長手拡張部の軸ｄの方向に平行または近い接続インタフェースの位置に、前記サービスポジションを許容するように構成されている。
−前記接続インタフェースは、サービスポジションにおいて、接続インタフェースの端子および差込み部の少なくとも１つが、例えば、漏斗形状の拭きシステムの接続ガイド部品によって受けられるように構成されている。
−前記接続インタフェースは、液圧コネクタおよび／または電気コネクタを含み、これらの要素は、一般に、互いに関連付けられ、または接続される。
【００１５】
また、本発明は、上述したような前記アセンブリを含む車両フロントガラス拭きシステムの接続デバイスであって、前記機械コネクタをワイパーアームに取り付けるために前記ワイパーに機械コネクタが固定されるように構成され、前記アダプタは、ワイパーとアームとの間の回転を許容するように前記機械コネクタに連接して装着され、前記アダプタは、前記端部取付具に挿入されるようにさらに構成されている接続デバイスに関する。
【００１６】
前記端部取付具、前記アダプタおよび／または前記機械コネクタは、一方を他方に挿入する際、前記端部取付具において機械コネクタおよび／またはアダプタを誘導するように、特に、並進させて、特に、長手方向に誘導するように相互に構成されている。前記機械コネクタは、好適には、前記接続インタフェースへのワイパーの液圧および／または電気接続を可能にするようにさらに構成されている。
【００１７】
前記機械コネクタは、ワイパーアームと協働してもよく、作業ポジションにおいてワイパーが端部取付具から外れることがないように、特に、ワイパーアームの前記端部取付具は前記安全部品を介して、機械コネクタに設けられる。
【００１８】
サービスポジションにおいて、ワイパーの交換時、本発明は、接続インタフェースが、前記安全部品を回避する角度で端部取付具に隣接する。
【００１９】
例えば、前記安全部品は、三角形の形状のものであり、前記端部取付具と対面して直立しながら、機械コネクタに連接される。
【００２０】
機械コネクタは、作業ポジションにおいて、接続インタフェースを支持するように構成されてもよい。
【００２１】
前記機械コネクタは、端部取付具に対して接続インタフェースを要求された方向に誘導するための前記接続ガイド部品を含んでもよい。
【００２２】
端部取付具への機械コネクタの接続、ひいては、ワイパーアームへのワイパーの接続は、例えば、端部取付具の開口と協働する前記アダプタのロックボタンによってロックされてもよい。
【００２３】
本発明はまた、ワイパーと、ワイパーアームと、ワイパーをワイパーアームに接続し、ワイパーおよびワイパーアームを、液圧により、および／または電気的に接続するための上述したような接続デバイスとを含む車両フロントガラス拭きシステムに関する。
【００２４】
本発明は、以下によりさらに深く理解され、添付の図面を参照しながら説明的および非制限的な目的の実施例によって与えられた本発明の複数の実施形態を以下に詳細に説明的に記載する過程で、本発明の他の目的、詳細、特徴および利点がより明確になるであろう。
【図面の簡単な説明】
【００２５】
【図１】本発明の１つの実施形態による接続デバイスを含む自動車の拭きシステムの全体斜視図である。
【図２】図１の詳細図である。
【図３】作業ポジションにある本発明の第１の実施形態による車両フロントガラス拭きシステムの接続デバイスの立面図である。
【図４】サービスポジションにあるこの接続デバイスの図３に類似した図である。
【図５】接続デバイスを取り外した後のこの接続デバイスの図３に類似した図である。
【図６】サービスポジションにある本発明の別の実施形態による車両フロントガラス拭きシステムの接続デバイスの立面図である。
【図７】接続解除中のこの接続デバイスの図６に類似した図である。
【図８】接続中のこの接続デバイスの図６に類似した図である。
【図９】接続デバイスのアームヘッドおよび接続インタフェースのみを示す、接続デバイスの変形例を示す斜視図である。
【図１０】接続デバイスのアームヘッドおよび接続インタフェースのみを示す、接続デバイスの変形例を示す斜視図である。
【図１１】接続デバイスのアームヘッドおよび接続インタフェースのみを示す、接続デバイスの変形例を示す斜視図である。
【図１２】機械コネクタがない状態の、本発明のさらなる実施形態による車両フロントガラス拭きシステムの接続デバイスの立面図である。
【発明を実施するための形態】
【００２６】
図面は、本発明を詳細に開示したものであり、当然ながら、必要に応じて、本発明をより良好に規定する役割を果たすこともあることに留意されたい。
【００２７】
本明細書の以下の記載において、長手および横断という用語は、フロントガラスワイパーが装着されるワイパーアームの向きを指す。長手方向は、ワイパーアームが延伸するワイパーアームの主軸に相当し、横断の向きは、同時発生の直線分、すなわち、長手方向と交わり、特に、ワイパーアームの長手軸に対して垂直な線分に相当する。長手方向に関して、前方という用語は、ワイパーアームの近位端から遠位端に向かう方向を示し、後方という用語は、その反対方向を示す。さらに、上側および下側と呼ばれる方向は、ワイパーアームの回転平面に対して垂直の向きに相当し、下側という用語は、フロントガラスの平面を含む。
【００２８】
最後に、同一の参照番号は、同一または類似した要素を示すために使用される。
【００２９】
図１および図２に示すように、本発明は、ワイパー９およびワイパーアーム７を含む拭きシステム３に関する。ワイパー９は、例えば、上述したようなフラットワイパーである。前記システムは、本発明の主題を本質的に構成する、ワイパー９をアーム７に接続するためのデバイス１２をさらに含む。
【００３０】
図６から図８に示すように、接続デバイス１２は、例えば、アダプタ１３と、機械コネクタ１５とを含む。
【００３１】
前記アダプタ１３は、ワイパー９とワイパーアーム７との間の回転を許容する。実際に、ワイパーは、ワイパーが拭き対象のウインドウの湾曲に沿うことができるように、ワイパーアームに対して、より詳細には、前記アーム７の端部取付具５に対して少なくとも１回転自由度を有する必要がある。前記アダプタ１３は、機械コネクタ１５に連接され、機械コネクタ１５は、この目的のために横断側面にピン１７を含み、前記ピンは、前記アダプタの横断側面にあるオリフィス１９と協働する。機械コネクタ１５は、例えば、アダプタのヨーク２１に挿入される。
【００３２】
ここで、アダプタ１３は、端部取付具５に固定目的で設けられたリセス２５と協働する引き込み式のロックボタン２３によってアダプタが可逆的に固定される位置である端部取付具５に隣接した使用位置にくるように、端部取付具５が延伸する長手軸ｄに沿った並進運動によって端部取付具５に挿入されるように構成されている。この位置において、前記端部取付具５はアダプタ１３を覆う。引き込み式ボタン２３および／またはリセス２５は、ここでは、前記アダプタ１３および前記端部取付具５のそれぞれの上側部分にあり、前記ボタン２３は、アダプタの可撓性ラグの後方端部に位置する。さまざまなロックの変形例が可能である。
【００３３】
ここで、端部取付具５の形状は、逆「Ｕ」字状であり、この「Ｕ」字の開口部はフロントガラスと対面するようにされる。アダプタ１３のヨーク形状２１は、例えば、端部取付具に収容されるように、端部取付具５の内部容積と相補的である。ワイパー９がワイパーアーム７に配置されると、アダプタは、開口部２９を介して開口部の遠位端で前記端部取付具に挿入され、横断側面のリム３１（図２）によって端部取付具に並進誘導される。
【００３４】
アダプタ１３またはワイパー９に固定された機械コネクタ１５は、端部取付具５の前方部分を閉鎖するキャップと呼ばれる外壁３３を有してもよい。
【００３５】
以上のことから、本発明は、拭きシステム３の構築するためのアセンブリ１に関する。前記アセンブリは、アーム７の端部取付具５と、この端部取付具５に収容された接続インタフェース１１とを含む。ここで、前記接続インタフェース１１は、以下、液圧および／または電気コネクタとも呼ぶ、可能的に互いに固定された液圧コネクタ３７および／または電気コネクタ３９を含む。前記接続インタフェース１１は、ワイパー９に液体を供給するために、および／または、液体および／またはワイパーを加熱するために使用される。
【００３６】
内面と呼ばれるキャップ３３と反対の、アダプタおよび／または機械コネクタの面は、前記液圧および／または電気コネクタ１１に面する。
【００３７】
ここで、機械コネクタ１５は、フロントガラス洗浄液をワイパーに分配するための内部通路５３に続く液圧コネクタ３７の対応する差込み部５１に機械コネクタを接続するためのオリフィス（図示せず）と、電気コネクタの接続端子４０を接続するためのオリフィス（図９および図１１）とを含む。
【００３８】
作業ポジションにおいて、接続インタフェース１１は、自由に移動できる状態のままであり、サービスポジションにおいて、ワイパーを装着するのに適した方向に配向されうる。
【００３９】
本発明によれば、前記端部取付具５は、作業ポジションにおいては、図３において特に明らかなように、サービスポジションにおいては、図４、図５および図６に示すように、前記接続インタフェース１１を誘導するように構成されている。このような誘導を提供することによって、接続インタフェースは、任意の中間部品なしに端部取付具と直接係合しうる。
【００４０】
さらに、前記端部取付具は、好適には、以下に記載するように、ワイパーを取り外す際、サービスポジションにおいて前記接続インタフェースを保持する。
【００４１】
前記端部取付具５は、特に、コネクタおよびアームの接続解除および／または接続を可能にするサービスポジションにおいて、端部取付具５に前記接続インタフェース１１の少なくとも１つのピン４７を示し、または与えるように構成されてもよい。
【００４２】
このように、液圧および／または電気コネクタ１１は、外側から目視可能な前記ピン４７の位置によって、ユーザに明らかな方法でユーザによって端部取付具上のサービスポジションに配置されてもよい。
【００４３】
ユーザは、前記サービスポジションに達する際のピン４７が、特定のポジションに達したときに前記サービスポジションを示す点、例えば、端部取付具上のマーカー４８を通るとき、前記サービスポジションを特定しうる。
【００４４】
図４から分かるように、前記ピン４７が、例えば、端部取付具の開口または窓４５の端部で、前記端部取付具５に対して隣接する位置に達するとき、前記サービスポジションがさらに特定されてもよい。
【００４５】
前記ピン４７は、窓４５において目視可能な図３および図４に示すように、前記サービスポジションおよび前記作業ポジションにおいて目視可能になっていてもよい。これは図示されていないが、ピンは、サービスポジションにおいてのみ目視可能であってもよく、例えば、サービスポジションに対応する端部取付具の開口において目視可能であってもよい。
【００４６】
より正確に言えば、図面に示すように、前記端部取付具５は、少なくとも１つの窓または変形４５をもつように構成された本体４１を含み、前記ピン４７は、サービスポジションおよび／または前記作業ポジションに達するときを前記窓または変形４５において示し、または配置される。
【００４７】
ピン４７は、好適には、前記窓または変形において滑動可能に装着され、したがって、作業ポジションから前記サービスポジションへの液圧および／または電気コネクタ１１の動きを誘導する。
【００４８】
本体に変形４５がある場合（図９から図１１）、変形は、好適には、閉じられ、ピンは、アームにおけるワイパーの動きを邪魔する可能性のある汚れ、特に、着氷から保護される。
【００４９】
ピンは、図１１に示すように、リブ４７によって置き換えられてもよい。この実施形態において、端部取付具５は、端部取付具の長手方向のメディアン面Ｐに対して互いに対称的な２つの内部変形４５を含む。変形４５の各々は、本体４１の側壁４９に形成され、長手方向スライド５０に滑動する接続インタフェースの２つのリブ４７を受ける。この変形は、前記リブの隣接部を形成する下側端部の各々に外部拡大部５２を含む。言い換えれば、この実施形態において、サービスポジションは、拡大部にあるリブの前記隣接部に対応するインタフェースを割出し位置に移動させることによって、および／または、以下に記載する機械コネクタのガイド部品５４を用いて、自己誘導によって、特に、端部取付具におけるインタフェースの自己中心合わせによって得られてもよい。同じ可能性は、ピン４７が窓または変形４５において滑動する、図３から図５および図１０の実施形態に存在する。
【００５０】
前記ピンは、ワイパーが軸ｄに平行であるゼロ角度から±約１５°、好適には、±１２°、特に、ゼロ角度から±１０°に等しいアームに対するワイパーの角度まで、前記作業ポジションにおいてアームに対してワイパーを回転させることができるように構成されてもよい。
【００５１】
前記窓または変形４５および前記ピン４７は、相補的な形状を有してもよく、例えば、第１の実施形態にあるような豆の一部のような形状および図１０のもの、特に、円弧状を有してもよく、これらの形状により、前記アームにおける前記液圧および／または電気コネクタ１１の回転またはアームに対するワイパーの回転を誘導することができる。
【００５２】
例えば、前記窓または変形４５は、例えば、切断によって、または端部取付具の本体の壁４９の切断または開閉押圧によって、端部取付具の本体４１の側方部分に作られる。
【００５３】
前記アセンブリ１は、好ましくは、２つの対向する窓または変形４５を含み、各々は、端部取付具の本体の側方部分にあり、端部取付具の長手方向のメディアン面Ｐに対して互いに対称的である。同じことが、液圧および／または電気コネクタ１１にも当てはまり、これらの２つの側方ピン４７は、インタフェースの長手方向のメディアン面Ｐ’に対して互いに対称的である。
【００５４】
また、前記窓または変形４５は、図７または図９の第２の実施形態に示されているように、ワイパーを引き抜く際、サービスポジションまたは配向において、前記ピン４７を受けて保持するように構成された開口５５を含んでもよい。このような実施形態は、特に、図８に示されているように、アームへのワイパーの接続を行いやすい。
【００５５】
前記開口５５は、下側端部にて豆形状に延伸する線に対して横断方向に、特に、半径方向に、前記豆形状の一端に存在してもよい。この開口５５は、サービスポジションに配置し、引き続き、図７の矢印の方向にワイパーを引き抜く間、ピン４７を保持するように適合される。この場合、ピンはサービスポジションにロックされる。
【００５６】
図１２の実施形態において、開口５５は、窓４５の残りの拡張部である。ここで、サービスポジションにおいて前記突出部４７を受けて保持し、特に、クリッピングすることが構成されている。窓の底部にあるこの開口は、割りピンの形態の突出部４７を受け、この突出部はクリッピングおよびクリッピング解除のための弾性が高いため、操作を行いやすい。ここで、前記突出部は、２つの突出要素、すなわち、液圧コネクタ３７の第１のピン４７と、電気コネクタ３９の第２のピン４７とを含むことで、アームヘッドにおける接続インタフェースの位置を確保し、突出要素が１つしかなかった場合にアームヘッドにおいて突出軸の周りを接続インタフェースが旋回してしまう事態を防止する。さらに、このようにピン４７を２つにすることは、他の実施形態においても同じ利点があることに留意されたい。
【００５７】
上述した実施形態において、作業ポジションにおいて、液圧および／または電気コネクタ１１が前記機械コネクタ１５によって、特に、互いにクリッピングすることによって保持されうる。
【００５８】
前記端部取付具５は、好適には、特に、端部取付具に対して接続インタフェースの最大角度で、接続インタフェース１１の最端位置に前記サービスポジションを許容するように構成されている（図４および図６を参照）。この角度位置は、拭きシステムの安全部品５６によって規定された、取り外すためのアームとワイパーとの間の最小角度位置に相当する。この安全部品５６は、特に、ワイパーをアームにロックするための前記ロックボタン２３を保持する舌部が壊れた場合、作業ポジションにおいて端部取付具またはアームからブラシを取り外すことができないようにすることが意図される。
【００５９】
前記安全部品５６は、三角形の形状であり、端部取付具５を支持するように前記取付具５と対面して直立しながら、基部にて機械コネクタ１５に設置される。
【００６０】
さらに好適には、前記端部取付具は、作業ポジションにおいてアーム７に対してワイパー９が回転できるように前記サービスポジションにない場合、端部取付具５および前記インタフェース１１は、サービスポジションに移動するように構成されている。
【００６１】
サービスポジションへの前記動きは、拭きシステムに前記安全部品５６が存在すれば、前記安全部品５６を許容しながら、前記アーム７に対するワイパー９の動きによって得られる。
【００６２】
上述したように、前記液圧および／または電気コネクタ１１は、差込み部または端子５１、４０の少なくとも１つが、ここでは、機械コネクタ１５（図５）に固定される、例えば、漏斗形状の前記接続ガイド部品５４の１つによって受けられるようにさらに構成されてもよい。この部品５４は、接続をなすとき、前記差込み部または端子５１、４０を誘導して受け、したがって、液圧および／または電気コネクタ１１を、機械コネクタ１５に接続するために、要求された方向に配向する。
【００６３】
次に、サービスポジションへの動きは、好適には、端部取付具の長手軸の方向ｄに平行または近い液圧および／または電気コネクタ１１の位置にガイド部品５４によって達成され、すなわち、端部取付具５および液圧および／または電気コネクタの差込み部または端子５１、４０が、端部取付具の前記長手方向ｄに配置されるときに達成される。
【００６４】
次に、接続デバイスの動作について記載する。
【００６５】
ワイパーを交換するためには、例えば、図４に示すように、アーム７に対してワイパー９を回転させることによって、端部取付具５に対して、サービスポジションに液圧および／または電気コネクタ１１を配置すればよい。サービスポジションに配置されると、アダプタのロックボタン２３は、図６に示すように押し下げられてもよく、アダプタ１３、ひいては、アダプタに固定されたワイパー９が、並進運動により端部取付具５から抜き取られてもよい（図７）。
【００６６】
ワイパー９を別のものと取り替える際の接続は、前の動きとは逆の動きで行われ、ボタン２３は、アダプタ１３を端部取付具５に、ひいては、ワイパーを挿入する最終段階でロックされる。次に、ワイパー９は、アーム７に対して回転することができ、接続インタフェースは、前記端部取付具内に誘導され、次の交換までにその場所に留まる。
【００６７】
ガイド部品５４を用いた接続／接続解除は、ワイパーをアームヘッドに係合するとき、機械コネクタ１５上で接続インタフェース１１をサービスポジションに誘導することによって自動的に配向され実行され、ワイパーは、この係合が完了すると、アームにロックされる。接続解除は、アダプタを端部取付具からアンロックした後に、前の操作の逆である操作によって実行される。
【００６８】
以上のことから、本発明は、いわゆる、「フラットブレード」の形態で製造されたワイパーを含む自動車のウインドウを拭くための装置において、ワイパーを別のワイパーで簡単に置き換える可能性を提供する。
【図１】
2014223908.tif 000003
【図２】
2014223908.tif 000004
【図３】
2014223908.tif 000005
【図４】
2014223908.tif 000006
【図５】
2014223908.tif 000007
【図６】
2014223908.tif 000008
【図７】
2014223908.tif 000009
【図８】
2014223908.tif 000010
【図９】
2014223908.tif 000011
【図１０】
2014223908.tif 000012
【図１１】
2014223908.tif 000013
【図１２】
2014223908.tif 000014
【外国語明細書】
2014223908000001.pdf